(57)【要約】【課題】  本願発明が解決しようとする課題は、就寝者がストレスを受けることなく、就寝者に精神的な癒しと安眠をもたらすことのできる安眠補助具を提供することにある。【解決手段】  本願発明の安眠補助具は、就寝中に就寝者の近くに配置して、就寝者が手で持ったり握ったりすることのできる把持部を備え、その把持部は人間の手の形状であり、且つ、人間の手と同じ又はそれと同様の感触を備えたものである。把持部に任意形状の付加部材を設けることもできる。把持部に加温材や芳香剤を設けてもよい。安眠補助具は、把持部に振動発生機能、就寝者を撫でる、叩く、掻く等の機能を備えたものや、音声、音楽、心拍音等の音発生機能を備えたものとすることもできる。本願発明の安眠補助具は、乳幼児に好適なものであるが、社会のストレスを感じて不眠症に悩む成人等、どの年齢層の人でも使用することができる。【選択図】図１
2010234049.tif 000002
【特許請求の範囲】
【請求項１】
就寝中に就寝者の近くに配置して、就寝者が手で持ったり握ったりすることのできる把持部を備え、
前記把持部は人間の手の形状であり、且つ、人間の手と同じ又はそれと同様の感触を備えたことを特徴とする安眠補助具。
【請求項２】
請求項１記載の安眠補助具において、
把持部に、任意形状の付加部材が設けられたことを特徴とする安眠補助具。
【請求項３】
請求項１又は２記載の安眠補助具において、
把持部が、加温材又は／及び芳香剤を備えたことを特徴とする安眠補助具。
【請求項４】
請求項１乃至３のいずれかに記載の安眠補助具において、
把持部が、振動発生機能、就寝者を撫でる、叩く、掻く等の機能を備えたことを特徴とする安眠補助具。
【請求項５】
請求項１乃至４のいずれかに記載の安眠補助具において、
音声、音楽、心拍音等の音発生機能を備えたことを特徴とする安眠補助具。
【発明の詳細な説明】
【技術分野】
【０００１】
本願発明は安眠に役立つ補助具に関するものである。
【背景技術】
【０００２】
従来から乳幼児の安眠を促進するための寝具が各種提供されており、例えば、特許文献１に記載のように、乳幼児を寝かせる際に体を横向きに優しく保護して安眠を促進する安眠具がある。また、近年は、年齢を問わず不眠に悩む人が増えており、これらの人の安眠を促進することを目的とする各種寝具（例えば、特許文献２記載の抱き枕）も提供されている。
【先行技術文献】
【特許文献】
【０００３】
【特許文献１】特開平０９−３２２８４３号公報
【特許文献２】特開２００９−１１７９５号公報
【発明の概要】
【発明が解決しようとする課題】
【０００４】
前記従来の安眠具及び抱き枕には次のような課題があった。
（１）前記安眠具は乳幼児の体をその前後から保護維持するものであるため、乳幼児の寝返り等の動きが制約され、乳幼児がストレスを受けることがある。
（２）前記安眠具や抱き枕は就寝前又は就寝中の者（以下、両者を合わせて「就寝者」という。）の体と同じくらい大きいものであり、旅行先などの出先に携帯することが難しい。また、不使用時の収納に広い場所をとり不便である。
【課題を解決するための手段】
【０００５】
本願発明は乳幼児のみならず大人であっても、人の手（特に指の部分）を握ったり、手に触れたりすると精神的に安心して、安眠し易いことに着眼して開発されたものであり、本願発明の解決課題は、就寝者がストレスを受けることなく、就寝者に安眠をもたらすことのできる安眠補助具を提供することにある。
【０００６】
本願発明の安眠補助具は、就寝者の近くに配置して、就寝者が手で持ったり握ったりすることのできる把持部を備え、把持部は人間の手の形状であり且つ人間の手と同じ又はそれと同様の感触を備えたものである。把持部には任意形状の付加部材を設けることもできる。把持部には加温材や芳香剤を設けることもできる。把持部は、振動発生機能、就寝者を撫でる、叩く、掻く等の機能を備えたものとすることもできる。音声、音楽、心拍音等の音発生機能を設けることもできる。
【発明の効果】
【０００７】
本願発明の安眠補助具は次のような効果がある。
（１）把持部が人間の手の形状であり、人間の手と同じ又はそれと同様の感触を備えているので、就寝者が把持部を握れば人の手を握っているような安心感が得られ、安眠し易くなる。
（２）就寝者の体が拘束されない形状及び構造であるため、寝返り等の動作が制約されず、就寝者が睡眠中にストレスを受けない。
（３）把持部から心拍音、音楽、音声、振動等を発生させれば安眠し易くなる。
（４）把持部で就寝者を撫でたり、繰り返し軽く叩いたりすれば安眠し易くなる。
（５）就寝者の感覚に合った心拍音、音楽、音声、振動等とすればより一層安眠し易くなる。
（６）母親や身近な人が使用している化粧品や香水と同じ香りの芳香剤が発生するようにすれば、傍にそれらの人が居るような感じになり、嗅覚を通じても安心感が得られ、寝付きの促進、熟睡の一助となる。
（７）把持部を加温材で人間の体温程度の温度にすれば、就寝者が人間の手に触れたり握ったりしているような感覚が得られ、安眠が促進される。
（８）人間の顔や頭や上半身の形をしたぬいぐるみ、花、動物等の形状の付加部材を設ければ、手の形の把持部だけの場合よりも人間や玩具が添い寝しているような雰囲気になり、安眠がより一層促進される。
【図面の簡単な説明】
【０００８】
【図１】本願発明の安眠補助具の一例を示す斜視図。
【図２】本願発明の安眠補助具の把持部に付加部材を取り付けた場合の一例を示す説明図。
【図３】本願発明の安眠補助具の把持部に付加部材を取り付けた場合の他の一例を示す斜視図。
【図４】本願発明の安眠補助具の把持部の指先を広げた場合の斜視図。
【図５】本願発明の安眠補助具の動作説明図。
【発明を実施するための形態】
【０００９】
（実施形態）
本願発明の安眠補助具１００は就寝者の近く、例えば、横において、就寝者が寝ながら手で持ったり、握ったりすることができ、必要に応じて就寝者の頭、腕、胸といった身体の一部を撫でたり、軽く叩いたり、振動したりして就寝者の寝付きをよくし、安眠、熟睡を促進、補助することがきるものである。
【００１０】
本願発明の安眠補助具１００の一例として図１に示すものは人間の手の形をした把持部４の手首側に造花を取り付けて装飾したものである。図２に示すものは把持部４に腕、頭、顔、上半身の形をしたぬいぐるみなどの付加部材５を取り付け、更に、上半身の下部に人工の花束を取り付けて装飾したものである。付加部材５は植物、果物、動物等の形状、その他の任意形状とすることができる。
【００１１】
図１に示す本願発明の安眠補助具１００の把持部４は、人間の手の形状を模した外皮１内にクッション性のある充填材２を収容して人間の手のような柔らかい感触にしてあり、就寝者が手で持ったり握ったりすることのできるサイズにしてある。前記外皮１は、就寝者が握って安心できる形状、感触、サイズであることが望ましく、例えば、就寝者が乳幼児や子供の場合は、母親や父親の手、兄弟の手、友達の手のような形状、感触、サイズにすることが望ましい。外皮１の素材としては例えば綿・絹・フランネル素材・フリース素材・フェルト素材といったソフト感のあるもの、ゴム・樹脂といった弾力性のあるもの、肌触りのよいもの等が好ましい。前記充填材２としては、綿、低反発ウレタンフォーム、樹脂性ビーズなどを使用することができる。外皮１に収容する充填材２の量や材質を変えることにより、固さを調節することができる。前記把持部４は外皮１の内部に充填材２を収容するのではなく、手の形状に成形した充填材２を外皮１で包むこともできるし、発泡成型、射出成型などの方法により成型したものであってもよい。
【００１２】
図１の把持部４は、外皮１の５本の指の先端部（指先）３を糸で連結して掌側を内側に湾曲させて、就寝者が把持部４を手に持ったり握ったりしたときに把持部４から握り返されたような感じになるようにし、握った手から外れにくくしてある。指先３は糸以外の連結材、例えば、接着剤や紐などで連結することもできる。指先３は５本全てを連結する必要はなく、例えば親指と人差し指の部分だけを連結することもできる。指先３以外の部分を連結することもできる。指先３は図４に示すように連結せずに手を広げた形にしておくこともできる。
【００１３】
本願発明の安眠補助具１００は外皮１や充填材２の内部に芳香剤を添加したり匂い袋を収納したりして芳香するようにすることもできる。芳香は乳幼児に安心感を与えるもの、例えば、母親が使用する香水や化粧品の香りなどが好ましい。芳香剤は外皮１や充填材２に直接染み込ませることも、それらの内部に収容しておくこともできる。いずれの場合も外皮１や充填材２に芳香を外部に発散させるための微細な放香孔を開口しておくこともできる。
【００１４】
本願発明の安眠補助具１００には外皮１や充填材２の内部に加温材を入れておくこともできる。この場合、加温材は人間の体温程度まで加温可能なものであることが好ましい。これにより冬場でも暖かい手の感触を得ることができ、癒し、安眠に効果的である。加温材は酸素に接触すると昇温するものとか、通電により昇温するものであってもよい。
【００１５】
本願発明の安眠補助具１００は図２及び図３に示すように、把持部４に連結した付加部材５に動作部６を設けて、動作部６の動作により把持部４が動作するようにしてある。動作部６の一例としては図５のように電源１０、設定部８、制御部７、駆動源１１、可動機構９等を備えたものとすることができる。電源１０はＡＣ、ＤＣ何れの電源でもよい。ＤＣの場合は充電式が良い。設定部８は動作機能の動作条件を設定する部分であり、例えば、心拍音発生、音楽発生、把持部４の振動、撫でる、叩く等の動作を設定するためのものである。制御部７は前記動作の強度、速度、動作時間といった各種動作条件を制御するためのものである。駆動源１１は可動機構９を駆動するためのものであり、それには例えばモータが使用される。可動機構９は把持部４を動作させるためのものであり、制御部７の制御条件に従って作動するようにしてある。
【００１６】
設定部８は心拍音の発生、音声や音楽の発生、把持部４の振動、往復動といった各種動作を設定できるものである。設定部８は、心拍音の発生、音声や音楽の発生、把持部４の振動、往復動といった各種動作のうち、いずれか二以上の動作を同時に行うように設定することもできる。制御部７は把持部４の動作状況、例えば、強弱変化、往復動の繰り返し周期、振動のリズム等を自動的に制御するものであり、コンピュータプログラムに基づいて制御できるようにすることも、手動設定した条件に基づいて制御されるようにすることもできる。駆動源１１はモータ、圧電素子といった各種動作源である。図５の可動機構９は把持部４を横に往復移動（撫でる動作）させたり、上下動（叩く動作）させたり、把持部４の指を指関節のように屈伸させる機構といったように、把持部４を各種動作させる機構である。条件設定は切り替えスイッチ、調節用摘み等の操作により行うことも、コンピュータプログラムで自動制御できるようにすることもできる。切り替えスイッチを設ける場合、一度押す度に条件を切り替えられるようにすることも、切り替えスイッチを動作条件ごとに設けて、それら切り換えスイッチを操作することによって切り替えられるようにすることもできる。接触式や近接式のスイッチを使用してそれに手が接触或いは接近すると切り替え設定されるようにすることもできる。前記条件設定はリモコン操作できるようにしておくこともできる。
【００１７】
把持部４から心拍音が出るようにするには、例えば、把持部４又は付加部材５に心拍音発生器を内蔵し、それから心拍音が発生されるようにすることができる。拍音発生器としては例えば就寝者の心拍音と関連する心拍音、例えば、親、兄弟等の心拍音を記憶したメモリーを内蔵したものを使用することができる。心拍音の強さ、速度等は設定部８で選択して設定したり、就寝者に合わせて制御部７で自動的に制御されたりするようにすることができる。
【００１８】
把持部４又は付加部材５から音声や音楽が流れるようにするには、把持部４又は付加部材５にスピーカ、イヤホンジャック、メモリー、再生機能等を内蔵し、再生機能によりメモリーに記録されている音楽や音声等が再生され、スピーカやイヤホンジャックに接続されたイヤホンから音楽が発生するようにする。選曲や音声の切り替えは設定部８で行うことができ、制御部７で自動的に制御されるようにすることもできる。それらの音はボリュームで調節可能とすることができる。前記心拍数、音声、音楽は、同時に聞こえるようにすることもできる。
【００１９】
把持部４で就寝者を撫でたり、叩いたり、掻いたり、振動させたりするには、把持部４又は付加部材５内の可動機構９をモータ等の駆動源１１で駆動させ、横往復動、縦振動等できるようにすることができる。横往復移動（撫でる動作）の範囲、繰り返し速度、縦振動（叩く動作）の強さ、繰り返し周期等は設定部８で設定したり切り替えたりすることができ、制御部７で自動制御可能とすることもできる。
【００２０】
掻く動作は把持部４の指を曲げたり伸ばしたりできる機械的関節機能１４を内蔵し（図４）、その機械的関節機能１４をモータ等の駆動源１１で屈伸させることにより実現できる。屈伸範囲、屈伸の繰り返し速度等は設定部８で設定したり切り替えたりすることができ、制御部７で自動制御可能とすることもできる。
【００２１】
振動させるための可動機構９には既存のバイブレータ、例えば振動式モータを使用し、それを把持部４に内蔵し、それらモータに通電して振動させることができる。振動の強度、繰り返しスピード等は設定部８で設定或いは切り替え可能としたり、制御部７で自動制御可能とすることもできる。
【００２２】
付加部材５の形状、構造等は特に限定されない。付加部材５の他に就寝者の布団やベッドの下に敷いたり取り付けたりすることができるように安定部１３を設けることもできる。付加部材５や安定部１３は、内部に可動機構９、駆動源１１、制御部７等を収容できる大きさや形状にすることもできる。
【００２３】
本願発明の安眠補助具１００には、タイマー１２（図５）を設けることもできる。タイマー１２には既存のタイマーを使用することができる。タイマー１２は駆動源１１の動作時間を選択して、設定時間の経過後に駆動源１１の動作が自動的に停止するようにするためのものである。タイマー１２は制御部７に内蔵することもできる。
【００２４】
本願発明の安眠補助具１００は、乳幼児用のみならず、それ以外の年齢層の人向けのものを用意することもできる。大きさや各サイズも就寝者の手の大きさに応じて各種用意することが好ましい。
【符号の説明】
【００２５】
１      外皮
２      充填材
３      指先
４      把持部
５      付加部材
６      動作部
７      制御部
８      設定部
９      可動機構
１０    電源
１１    駆動源
１２    タイマー
１３    安定部
１４    機械的関節機能
１００  安眠補助具
【図１】
2010234049.tif 000003
【図２】
2010234049.tif 000004
【図３】
2010234049.tif 000005
【図４】
2010234049.tif 000006
【図５】
2010234049.tif 000007